(57)【要約】      （修正有）【課題】調理中の料理対象物の動きをリアルに実現することのできるままごと玩具を提供する。【解決手段】ままごと玩具１００は、料理又は食材を模した調理対象物模型１と、調理対象物模型１が収容される調理器具模型２と、調理器具模型２が載置される調理機器模型３と、調理機器模型３の調理器具模型２が載置されるコンロ部（載置部）３２に調理器具模型２を固定するための固定手段と、調理対象物模型１に設けられた第１の永久磁石１１と、調理機器模型３に設けられて、載置部３２に固定された調理器具模型２に収容された調理対象物模型１の第１の永久磁石１１に磁力を及ぼすための磁場を形成する磁場形成手段と、調理機器模型３に設けられて、磁場形成手段によって形成される磁場を水平面内で移動させる磁場移動手段と、を備える。【選択図】図２
0003235036.tif 000002
【実用新案登録請求の範囲】
【請求項１】
料理又は食材を模した調理対象物模型と、
前記調理対象物模型が収容される調理器具模型と、
前記調理器具模型が載置される調理機器模型と、
前記調理機器模型の前記調理器具模型が載置される載置部に前記調理器具模型を固定す
るための固定手段と、
前記調理対象物模型に設けられた磁性体と、
前記調理機器模型に設けられて、前記載置部に固定された前記調理器具模型に収容され
た前記調理対象物模型の前記磁性体に磁力を及ぼすための磁場を形成する磁場形成手段と
、
前記調理機器模型に設けられて、前記磁場形成手段によって形成される磁場を水平面内
で移動させる磁場移動手段と、を備えることを特徴とするままごと玩具。
【考案の詳細な説明】
【技術分野】
【０００１】
本考案は、調理のままごとができるままごと玩具に関する。
【背景技術】
【０００２】
従来より、調理を楽しむことができるままごと玩具として、料理を模した料理部材の内
部に永久磁石を設け、電子レンジを模した調理機器模型側にも永久磁石を設けて、料理部
材を調理機器模型内に収納した際に、２つの永久磁石の磁性が反発するように配置したも
のがある。この玩具では、調理対象物模型として、表裏に調理前、調理後の造形を有する
ものを用いている（例えば、特許文献１参照）。
【先行技術文献】
【特許文献】
【０００３】
【特許文献１】特開２００５−３４４４０号公報
【考案の概要】
【考案が解決しようとする課題】
【０００４】
電子レンジによる実際の調理の場合には、電子レンジの本体内に料理対象物を入れ、調
理時間を設定し、料理開始スイッチを操作する。そして、調理時間が経過するまで放置し
、調理時間経過後に電子レンジの本体内から料理対象物を取り出す。このような経過で調
理がなされるのが一般的である。そのため、上記特許文献１のままごと玩具のように、電
子レンジ玩具を含むままごと玩具の場合には、調理対象物模型が調理前の状態から裏返さ
れて調理後の状態に変化するだけでも十分に楽しむことが可能である。
しかし、実際の電子レンジによる調理の場合であっても、電子レンジの本体内を覗きなが
ら料理対象物の調理具合を確認するときもある。また、電子レンジ以外の調理機器（ガス
コンロやＩＨ）による調理の場合には、寧ろ、料理対象物の調理具合を確認しながら調理
を行うときが多い。したがって、調理機器玩具によるままごとの場合にあっても、調理中
の料理対象物の実際の動きをリアルに実現できることが望まれている。
本考案は、上記事情に鑑みてなされたもので、調理中の料理対象物の動きをリアルに実
現することのできるままごと玩具を提供することを目的としている。
【課題を解決するための手段】
【０００５】
上記課題を解決するため、請求項１の考案は、
料理又は食材を模した調理対象物模型と、
前記調理対象物模型が収容される調理器具模型と、
前記調理器具模型が載置される調理機器模型と、
前記調理機器模型の前記調理器具模型が載置される載置部に前記調理器具模型を固定す
るための固定手段と、
前記調理対象物模型に設けられた磁性体と、
前記調理機器模型に設けられて、前記載置部に固定された前記調理器具模型に収容され
た前記調理対象物模型の前記磁性体に磁力を及ぼすための磁場を形成する磁場形成手段と
、
前記調理機器模型に設けられて、前記磁場形成手段によって形成される磁場を水平面内
で移動させる磁場移動手段と、を備えることを特徴とする。
【０００６】
請求項２の考案は、請求項１に記載のままごと玩具において、
前記磁性体は、第１の永久磁石であることを特徴とする。
【０００７】
請求項３の考案は、請求項１又は２に記載のままごと玩具において、
前記固定手段は、前記調理器具模型の内部に設けられた第２の永久磁石と、
前記載置部に設けられた第３の永久磁石と、を備え、
前記第２の永久磁石と前記第３の永久磁石の互いに対向する対向面は、互いに異なる磁
極であることを特徴とする。
【０００８】
請求項４の考案は、請求項１〜３のいずれか一項に記載のままごと玩具において、
前記磁場形成手段は、前記調理機器模型の内部に設けられた第４の永久磁石であり、
前記磁場移動手段は、前記第４の永久磁石を水平面内で移動自在とし、
前記第４の永久磁石と前記第１の永久磁石の互いに対向する対向面は、互いに異なる磁
極又は同じ磁極であることを特徴とする。
【考案の効果】
【０００９】
本考案によれば、磁場形成手段及び磁場移動手段により第１の永久磁石の磁場を移動さ
せることによって、調理対象物模型が調理器具模型の中で移動する。その結果、調理対象
物模型が回転したり、浮き上がったり、反転し、実際に調理をしているような状態をリア
ルに実現することができる。
また、固定手段を備えているので、調理器具模型の中で調理対象物模型が動いていても
、調理対象物模型の移動と同時に調理器具模型が移動することもなく、載置部に調理器具
模型を確実に固定して、調理のままごとを楽しむことができる。
【図面の簡単な説明】
【００１０】
【図１】本考案に係るままごと玩具の外観を示した斜視図である。
【図２】ままごと玩具の分解斜視図である。
【図３】磁場形成手段及び磁場移動手段の変形例で、(a)は上面図、(b)は概略的な制御構成を示すブロック図である。
【考案を実施するための形態】
【００１１】
以下、本考案の実施形態について図面を参照しながら説明する。
図１は、本考案に係るままごと玩具の一例を示した外観斜視図、図２は、ままごと玩具
の分解斜視図である。
ままごと玩具１００は、料理又は食材を模した調理対象物模型１と、調理器具を模した
調理器具模型２と、ＩＨヒータやガスコンロ、電気コンロ等の調理用コンロを模した調理
機器模型３とを備えている。
調理対象物模型１は、料理又は食材を模した形状をなしており、ここでは目玉焼き模型
が使用されている。調理対象物模型１の内部には、第１の永久磁石１１が埋設されている
。第１の永久磁石１１は、調理対象物模型１の中心に設けても良いし、偏芯した位置に設
けても良い。
【００１２】
調理器具模型２は、調理対象物模型１を収容するフライパンや鍋等の調理器具を模した
形状をなしており、ここではフライパン模型が使用されている。調理器具模型２の底面内
部には、第２の永久磁石２１が４つ埋設されている。第２の永久磁石２１は、調理器具模
型２の底面の外周に沿って等間隔に設けられている。また、第２の永久磁石２１は、調理
器具模型２の外観からは見えないように埋設されている。具体的には、調理器具模型２の
底面に配置された第２の永久磁石２１の上面に、第２の永久磁石２１を覆うように蓋部材
２２が設けられている。
【００１３】
調理機器模型３は、調理用コンロを模した形状をなし、調理器具模型２が載置されるコ
ンロ部３２に第３の永久磁石３１が４つ埋設されている。第３の永久磁石３１は、調理器
具模型２をコンロ部３２に配置した場合に第２の永久磁石２１に対応する位置にそれぞれ
設けられている。
第２の永久磁石２１と第３の永久磁石３１とは、互いに対向する面が互いに異なる磁極
となっている。そのため、調理器具模型２をコンロ部３２上に載置すると、第２の永久磁
石２１と第３の永久磁石３１とが互いに引き合ってコンロ部３２上に調理器具模型２が固
定され、調理器具模型２の移動やガタツキが防止されるようになっている。
また、調理機器模型３の内部には、第１の永久磁石１１に磁力を及ぼすための磁場を形
成する第４の永久磁石４４と、第４の永久磁石４４によって形成される磁場を水平面内で
移動させる磁場移動手段４とが設けられている。磁場移動手段４としては、例えば、モー
タ４１と、モータ４１の回転軸４１aに連結されたギア４２と、ギア４２に噛み合うギア
４３と、から構成されたものが挙げられる。そして、モータ４１の駆動によって回転軸４
１aに連結されたギア４２が回転軸中心に回転する。さらに、このギア４２の回転にギア
４３が噛み合って回転することで、第４の永久磁石４４が水平面内で回転するようになっ
ている。その結果、磁場が移動して第１の永久磁石１１が移動するようになっている。こ
のとき、第１の永久磁石１１と第４の永久磁石４４とは、互いに対向する面が異なる磁極
であっても良いし、同じ磁極であっても良い。異なる磁極である場合には、第１の永久磁
石１１は第４の永久磁石４４に吸着する方向に移動し、同じ磁極である場合には、第１の
永久磁石１１と第４の永久磁石４４とが互いに反発し合って調理対象物模型１が浮き上が
ったり反転したりする。
また、調理機器模型３にはモータ４１を駆動及び停止させるスイッチＳ等が設けられて
いる。
【００１４】
第１〜第４の永久磁石１１，２１，３１，４４の種類は問わないが、特に、第４の永久
磁石４４としては、例えばネオジウム磁石等の永久磁石を使用することが好ましい。
【００１５】
次に、上記ままごと玩具１００の使用態様について説明する。
まず、調理器具模型２の内部に調理対象物模型１を収容する。そして、調理器具模型２
を調理機器模型３のコンロ部３２上に載置する。このとき、第２の永久磁石２１と第３の
永久磁石３１とが互いに引き合って調理器具模型２がコンロ部３２上に固定される。
次いで、スイッチＳをＯＮとしてモータ４１を駆動させて、第４の永久磁石４４によっ
て第１の永久磁石１１に磁場を作用させて、第１の永久磁石１１を移動させる。これによ
って、調理器具模型３の中で調理対象物模型１が回転したり、また、調理対象物模型１が
調理器具模型１の内壁に当たって反転したり、浮き上がるといった調理をしている状態を
リアルに実現することができる。
【００１６】
以上のように本実施形態では、調理対象物模型１の内部に第１の永久磁石１１が設けら
れ、調理機器模型３の内部には第１の永久磁石１１の磁場を移動させる磁場形成手段及び
磁場移動手段４が設けられているので、第１の永久磁石１１の磁場を移動させることによ
って、調理対象物模型１が調理器具模型２の中で移動する。その結果、調理対象物模型１
が回転したり、浮き上がったり、反転し、実際に調理をしているような状態をリアルに実
現することができる。
また、調理器具模型２を調理機器模型３のコンロ部３２に固定するための固定手段を備
えているので、調理器具模型２内で調理対象物模型１が動いていても、調理対象物模型１
と同時に調理器具模型２が移動することなく、コンロ部３２に調理器具模型２を確実に固
定して、調理のままごとを楽しむことができる。
固定手段が、調理器具模型２の内部に設けられた第２の永久磁石２１と、コンロ部３２
に設けられた第３の永久磁石３１と、を備えているので、単純な構造で容易に固定でき、
また安価に製造することができる。
さらに、磁場形成手段は第４の永久磁石４４であり、磁場移動手段４は、第４の永久磁
石４４を水平面内で移動させるモータ４１と、ギア４２，４３と、を備えるので、モータ
４１の駆動によってギア４２，４３を介して第４の永久磁石４４が移動され、これの反発
力又は引力によって第１の永久磁石１１が調理器具模型２の中で動くことができる。この
ように磁場形成手段及び磁場移動手段４も単純な構造であるので、容易かつ安価に製造す
ることができる。
【００１７】
なお、本考案は上記実施形態に限定されるものではなく、その要旨を逸脱しない範囲で
適宜変更可能である。
例えば、調理機器模型３に調理中の音や洗い場等の水音といった効果音を発するような
手段を設けるようにしても良い。
また、磁場形成手段及び磁場移動手段は、上述したものに限らず、例えば図３に示すよ
うに複数のコイル５１と、各コイル５１内に配置された磁性体５２と、コイル５１に電流
を通電する通電回路５３と、通電回路５３に接続されて通電を制御する制御部５４と、を
備え、制御部５４によって各コイル５１への通電をそれぞれ制御することで磁場を発生さ
せて、第１の永久磁石１１を移動させるように構成しても構わない。このとき、磁性体５
２と第１の永久磁石１１とは、互いに対向する面が互いに異なる磁極又は同じ磁極となる
ように構成すれば良い。
また、第１の永久磁石１１として鉄等の磁性体を使用しても良い。
【００１８】
また、上記実施形態では、調理器具模型２とコンロ部３２とは、第２の永久磁石２１及
び第３の永久磁石３１によって固定するとしたが、固定手段はこれに限らず、例えば、コ
ンロ部３２と調理器具模型２とを互いに嵌め込む形式の機械的な構造としても良い。
【００１９】
また、第２の永久磁石２１及び第３の永久磁石３１の個数は上述した個数に限らず、適
宜変更可能である。
さらに、第１の永久磁石１１や第４の永久磁石４４の個数も２個以上設けても良い。こ
の場合、第１の永久磁石１１の第４の永久磁石４４に対向する面を、それぞれ異なる磁極
としても良いし、同じ磁極としても良い。第４の永久磁石４４においても、第１の永久磁
石１１に対向する面をそれぞれ異なる磁極としても良いし、同じ磁極としても良い。
【００２０】
さらに、調理対象物模型１は、調理器具模型２の中に複数収容するようにしても良い。
また、調理対象物模型１としては目玉焼き模型に限らず、にんじん模型、ハンバーグ模型
、ホットケーキ模型、ねぎ模型、パン模型等様々なものが考えられる。
【符号の説明】
【００２１】
１  調理対象物模型
２  料理器具部材
３  調理機器模型
４  磁場移動手段
１１  第１の永久磁石（磁性体）
２１  第２の永久磁石（固定手段）
３１  第３の永久磁石（固定手段）
３２  コンロ部（載置部）
４１  モータ
４１a  回転軸
４２，４３  ギア
４４  第４の永久磁石（磁場形成手段）
１００  ままごと玩具
【図１】
0003235036.tif 000003
【図２】
0003235036.tif 000004
【図３】
0003235036.tif 000005